(57)【要約】【課題】加熱庫内で異常発火した場合にも排気通路内で確実に消炎させる。【解決手段】加熱庫１０の排気通路６０内に、面積が０．２５πｍｍ２以上１２．２５πｍｍ２未満となる円形の孔部、若しくは面積が１ｍｍ２以上３６ｍｍ２未満となる四角形の孔部、を複数有する板状の多孔板部を、互いに隣接する多孔板部同士が互いに対向するようにかつ所要間隔隔離するように配してなるフレームトラップユニット８０を配置して、当該フレームトラップユニット８０により、加熱庫１０からの火炎を消炎させてガス排気口５０側への火炎の発生を防止するようにした。【選択図】図１
2008289914.tif 000002
【特許請求の範囲】
【請求項１】
加熱庫内の被調理物を加熱調理する加熱手段と、
当該加熱手段による加熱調理に伴い生じる排ガスを上昇させ、上端部のガス排気口を通して外部に排出する排気通路と、
当該排気通路内に配され、前記加熱庫からの火炎を消炎させて前記ガス排気口側への前記火炎の発生を防止するフレームトラップユニットと
を備えたグリルであって、
面積が０．２５πｍｍ２以上１２．２５πｍｍ２未満となる円形の孔部、若しくは面積が１ｍｍ２以上３６ｍｍ２未満となる四角形の孔部、を複数有する板状の多孔板部を、互いに隣接する多孔板部同士が互いに対向するようにかつ所要間隔隔離するように配して前記フレームトラップユニットを形成したことを特徴とするグリル。
【請求項２】
前記フレームトラップユニットは、前記排気通路を通過する燃焼排ガスの全てが各多孔板部のいずれかの孔部を通過するように配される請求項１に記載のグリル。
【請求項３】
前記多孔板部は、ラス網によりなる請求項１または２に記載のグリル。
【請求項４】
前記多孔板部同士の前記所要間隔は１０ｍｍである請求項１乃至３の何れかに記載のグリル。
【発明の詳細な説明】
【技術分野】
【０００１】
本発明は加熱庫内で魚等の被調理物を加熱するグリルに関する。
【背景技術】
【０００２】
従来からガスこんろにおいては、加熱庫内で魚等の被調理物を加熱調理するグリルを組み込んだものが知られている。こうしたグリルは、図８に示すように加熱庫１０内に被調理物Ｆを載置する焼網２０と、被調理物Ｆからの焼き油等を受ける受皿３０とを備え、また加熱庫１０上方側面には燃料ガスの燃焼用炎孔を鉛直面に形成した全一次空気式バーナ４０を備える。また、加熱庫１０の背部には燃焼により発生した排ガスを外部に開口する排気口５０に誘導する排気通路６０を併設し、加熱庫１０の後面上部には加熱庫１０と排気通路６０とを連通する連通口７０を形成する。そして、調理の際には前もって受皿３０に一定量の水を入れてから加熱を開始し、焼網２０上で焼かれた魚等の被調理物Ｆから出る油脂分即ち焼き油を水面に落とすことによって焼き油の発火を防止する。
【０００３】
【特許文献１】特開平９−７２５４６号公報
【発明の開示】
【発明が解決しようとする課題】
【０００４】
しかしながら、受皿３０に水がない状態で長時間燃焼が継続されると、受皿３０に溜まった焼き油が異常過熱されて、受皿３０や被調理物Ｆから発火する場合がある。このようなことは通常使用においてはまずあり得ないが、万が一発火すると図９に示すように加熱庫１０内の火炎が排気口５０から外部に溢れ出してしまう恐れがある。そのため、排ガスを複数に分割するための複数の通気孔を形成する多孔板部を排気通路に設け、加熱庫内で発火した場合にも火炎が外部に溢れることを防止することが考えられているが、このような多孔板部により消炎効果を得るためには通気孔１つ１つの面積を小さくする必要があり、多孔板部１枚により炭化水素ガスの火炎を消炎するには理論上円形の通気孔で直径７mm程度まで小さくすることが求められる。しかし実際には、このような大きさの通気孔で消炎効果を得ることができるのはごく短時間で、多孔板部が火炎により加熱されて高温となると通気孔を通過した未燃ガスが再着火してしまい消炎することができない。多孔板部の熱容量が十分でない場合、理論上板厚が０．６mmで直径０．３mm程度、また板厚が１０mmでも直径０．８mm程度まで小さくする必要があり、油や埃等により容易に目詰まりしてしまうため実用が困難であった。
【０００５】
そこで、本発明のグリルは前記課題を解決し、目詰まりしない程度の大きさの通気孔であっても炎溢れを確実に防止することを目的とする。
【課題を解決するための手段】
【０００６】
上記目的を達成するために、請求項１に記載の発明は、加熱庫内の被調理物を加熱調理する加熱手段と、当該加熱手段による加熱調理に伴い生じる排ガスを上昇させ、上端部のガス排気口を通して外部に排出する排気通路と、当該排気通路内に配され、前記加熱庫からの火炎を消炎させて前記ガス排気口側への前記火炎の発生を防止するフレームトラップユニットとを備えたグリルであって、
面積が０．２５πｍｍ２以上１２．２５πｍｍ２未満となる円形の孔部、若しくは面積が１ｍｍ２以上３６ｍｍ２未満となる四角形の孔部、を複数有する板状の多孔板部を、互いに隣接する多孔板部同士が互いに対向するようにかつ所要間隔隔離するように配して前記フレームトラップユニットを形成したことを特徴とするものである。
請求項２に記載の発明は、請求項１の構成において、前記フレームトラップユニットを、前記排気通路を通過する燃焼排ガスの全てが各多孔板部のいずれかの孔部を通過するように配したものである。
請求項３に記載の発明は、請求項１又は２の構成において、前記多孔板部を、ラス網によりなる構成としたものである。
請求項４に記載の発明は、請求項１乃至３の何れかの構成において、前記多孔板部同士の前記所要間隔を１０ｍｍとしたものである。
【発明の効果】
【０００７】
請求項１に記載の発明によれば、所定面積の円形若しくは四角形となる複数の孔部を有する板状の多孔板部を、互いに隣接する多板板同士が互いに対向するように配してフレームトラップユニットを形成し、該フレームトラップユニットを、加熱庫にて生じる燃焼排ガスを外部に排出するための排気通路に配する。そのため、加熱庫で発生した排ガスは複数の多孔板部にそれぞれ形成される孔部を通って外部に排出される。よって、万が一加熱庫で発火した場合には、排気通路側に広がった火炎が多孔板部の通気孔を通過する際に冷却され、火炎の伝播が阻止されて消炎される。
【０００８】
従って、火炎が外部に溢れることを防ぐことができる。特に、複数の多孔板部の間に空間を設けることで、上流側の多孔板部から下流側の多孔板部への伝熱量が低減されて下流側の多孔板部が比較的低温に保たれるため、火炎の冷却効果を高くすることができる。また、多孔板部間の空間には燃焼排ガスや魚等の被調理物から発生する炭化水素ガスがこもりやすくなるため、酸欠による消炎効果も得ることができる。
【０００９】
請求項２に記載の発明によれば、排気通路を流れる排ガスの全てがそれぞれの多孔板部の孔部を通るように、その排気通路に配されるので、より良好に炎の溢れを防止することができる。
請求項３に記載の発明によれば、フレームトラップユニットを形成する多孔板部を、安価かつ生産性の良いラス網により形成している。よって、極めて安価な構成にて炎の溢れを防止することができる。
【発明を実施するための最良の形態】
【００１０】
以下、本発明の実施の形態を図面に基づいて説明する。
【００１１】
図１には、本発明の一実施形態に係るグリルの概略構成図が示されている。また、図２には、フレームトラップユニットの斜視図が、図３には、フレームトラップの断面図がそれぞれ示されている。
【００１２】
本実施形態に係るグリルは、図１に示されるように、加熱庫１０内に被調理物Ｆを載置する焼網２０と、被調理物Ｆからの焼き油等を受ける受皿３０とを備え、また加熱庫１０上方側面には燃料ガスを燃焼するバーナ（加熱手段）４０を備える。また、加熱庫１０の背部には燃焼により発生した排ガスを上昇させ、外部に開口する排気口（ガス排気口）５０に誘導する排気通路６０を併設し、加熱庫１０の後面下部には加熱庫１０と排気通路６０とを連通する連通口７０を形成する。また排気通路６０には排気口５０からの火炎の溢れを防ぐためのフレームトラップユニット８０を備える。
【００１３】
連通口７０は焼網２０における被調理物Ｆの載置面より低い位置に形成される。従って、バーナ４０から発生した高温の排ガスは一旦加熱庫１０上部に溜まって被調理物Ｆを加熱した後連通口７０に溢れ出る。また、加熱庫１０の手前側底面には外気が進入できる隙間が形成されており、排ガスが排気通路６０をドラフト効果により上昇することに伴って外気が吸引される。
【００１４】
バーナ４０は多孔質セラミックスの平面プレートに多数の小炎孔を貫通させた燃焼面を有する全一次空気式のもので、その燃焼面は鉛直面に対してやや角度をつけ上方向に傾斜させて設置される。
【００１５】
本実施形態のグリルは、バーナ４０を上方向に傾斜させることで被調理物Ｆ及び受皿３０に溜まった焼き油への輻射加熱を低減し、更に加熱庫１０の手前側底面に形成される隙間から吸引される外気の連通口７０への流れにより受皿３０を冷却することで、受皿３０に溜まった焼き油の温度上昇を抑え受皿３０に水を入れることなく調理可能としたものである。そして焼網２０の載置面に置かれた被調理物Ｆは、バーナ４０の輻射に頼ることなく加熱庫１０上部に充満する高温の排ガスの対流によってすみずみまで加熱され、良好に調理される。
【００１６】
前記フレームトラップユニット８０は、本実施形態においては、図２及び図３に示すように１辺３ｍｍの四角形の通気孔８０ａを１ｍｍ間隔で形成したステンレス等からなる２枚の金属板（本実施形態では板厚０．６ｍｍ、排気通路の上側に配置される金属板を上多孔板部８１、下側に配置される金属板を下多孔板部という。）を互いに向かい合わせてなるものである。これら上多孔板部８１と下多孔板部８２との間には、所定の間隔（本実施形態では１０ｍｍ程度）の空間が形成されており、上多孔板部８１と下多孔板部８２との両端は、曲げ加工されて互いに重ね合わされている（図２参照。）。これにより、フレームトラップユニット８０は筒状の直方体に形成されている。また、このフレームトラップユニット８０は、上下面（多孔板部８１，下多孔板部８２）を除く四方が排気通路６０と接するように配設され、フレームトラップユニット８０の上下面（多孔板部８１，下多孔板部８２）が排ガスを通過させるための部材としてそれぞれ機能する。よって、排気通路６０に流れる排ガスの全ては、フレームトラップユニット８０の下多孔板部８２，上多孔板部８１にそれぞれ形成される通気孔（孔部）８０ａを通って外部に排出される。そして、前述の通り、下多孔板部８２と上多孔板部８１との間に所定の間隔の空間が形成されることで、下多孔板部８２から上多孔板部８１への伝熱量が少なくなり、下多孔板部８２が高温となっても上多孔板部８１を比較的低温に保つことができる。また筒状に形成しているため、開口率が高く（約５６％）板厚が薄いにもかかわらず頑丈となり耐久性が高い。
【００１７】
ここで、フレームトラップユニット８０による消炎効果について説明する。火炎の伝播は燃焼ガスから未燃ガスへの熱の移動によって起こっているため、その熱を奪うことで火炎の伝播を阻止して消炎する。即ち、加熱庫１０からの火炎はフレームトラップユニット８０の下多孔板部８２の通気孔８０ａを通過する際に通気孔８０ａの内壁と接触し、熱が奪われる。このとき、下多孔板部８２が高温となっている状態では火炎を十分に冷却することができず完全に消炎できないが、下多孔板部８２に比べ低温に保たれる上多孔板部８１により更に冷却することで確実に消炎することができる。また、上多孔板部８１と下多孔板部８２との間には燃焼排ガスや被調理物Ｆから発生する炭化水素ガスがこもりやすくなり、酸欠による消炎効果も得ることができる。このように２つの多孔板部８１，８２を所要間隔を隔てるように、かつ、互いに対向させるように配してフレームトラップユニット８０を形成し、該フレームトラップユニット８０を前記排気通路に配することにより、燃焼排ガスの冷却効果を向上させるとともに酸欠による消炎効果を向上させることができ、通気孔の面積を目詰まりしない程度に大きくしても十分な消炎効果を得ることができる。なお、本実施形態の構成によれば、実験の結果円形の通気孔で直径７ｍｍ程度、四角形の通気孔で一辺６ｍｍ程度まで大きくすることが可能である。従って、通気孔の大きさは、容易に目詰まりしにくくなおかつ消炎効果を得ることができるように、円形の通気孔で直径１ｍｍ以上７ｍｍ未満（０．２５πｍｍ２以上１２．２５πｍｍ２未満），四角形の通気孔で一辺１ｍｍ以上６ｍｍ未満（１ｍｍ２以上３６ｍｍ２未満）程度とすることが望ましい。
【００１８】
以上のような構成により、本実施形態のグリルでバーナ４０が燃焼すると、高温の排ガスが加熱庫１０上部に溜まり連通口７０へ溢れてからドラフト効果により排気通路６０を上昇し、フレームトラップユニット８０の通気孔８０ａを通過して外部に排出される。同時に、このドラフト効果により加熱庫１０の手前の隙間から外気が吸引され、後方の連通口７０から排出される。一方、被調理物Ｆは加熱庫１０上部に充満する高温の排ガスの対流によってすみずみまで加熱調理される。
【００１９】
そして、燃焼が過剰に継続されることにより万が一受皿３０に溜まった焼き油が異常過熱されて発火した場合には、図４に示すように加熱庫１０内の火炎が排気通路６０側にも広がるが、フレームトラップユニット８０により消炎されて排気口５０からの炎溢れが阻止される。
【００２０】
以上説明したように、本実施形態のグリルによれば、排気通路６０に組み込んだフレームトラップユニット８０により、万が一加熱庫１０内で発火した場合にも排気口５０から火炎が溢れることを防ぐことができるため、安全性が高い。特に、フレームトラップユニット８０を上多孔板部８１と下多孔板部８２との間に空間を設けて形成することで上多孔板部８１への伝熱量を少なくして火炎の冷却効率を高くすることができ、しかも上多孔板部８１と下多孔板部８２との間の空間には燃焼排ガスや被調理物から発生する炭化水素ガスがこもりやすくなり酸欠による消炎効果も得ることができるため、通気孔８０ａを極端に小さくする必要がなく油や埃等により目詰まり難い程度の大きさにすることができる。また、フレームトラップユニット８０を金属板により形成することで、セラミックス製に比べ材料費や加工費を安価にすることができると共に運送時や使用時に破損しにくくすることができる。更に、上多孔板部８１と下多孔板部８２との両端を曲げ加工して多孔板部間に所定の間隔を空けて空間を形成する構成により、組み込み作業時にわざわざ間隔を調節する必要がなく、作業を容易に行なうことができる。加えて、調理前に受皿３０にわざわざ水を張る必要がないため使い勝手がよく、しかも燃焼が過剰に継続されて万が一加熱庫１０内で発火した場合にも、排気口５０からの炎溢れが確実に防止される構成のため極めて安全性が高い。
【００２１】
尚、フレームトラップユニット８０の表面に臭気や煙等の分解を促進する酸化触媒（例えばベロブスカイト）をコーティングしてもよい。このように触媒をコーティングすることで、調理物から生じた臭気や煙等が通過する際にその触媒効果で分解されるため、外部へは脱臭された排ガスを排出することができる。また、このような触媒による分解除去作用によって通気孔８０ａの目詰まりを防止することができる。
【００２２】
また、本実施形態ではフレームトラップユニット８０を所定間隔を空けて併設した２つの多孔板部８１，８２により形成したが、これに限ったものではなく、３つ以上の多孔板部を併設したものであってもよい。また、本実施形態ではフレームトラップユニット８０を筒状の直方体に形成したが、これに限ったものではなく、例えば箱体で形成してもよく、また別体の多孔板部を複数間隔を空けて併設してもよい。また、複数の多孔板部は必ずしも平行に設ける必要はなく、傾けて設けてもよい。また、通気孔８０ａの形状は四角形に限ったものではなく、例えば円形や三角形，六角形，菱形等でもよく、不定形であってもよい。また、複数の多孔板部でそれぞれ形成される通気孔８０ａの位置は互いに同じ位置に形成してもよく、ずらしてもよい。また、複数の多孔板部でそれぞれ形成される通気孔８０ａの形状や大きさが異なるようにしてもよい。
【００２３】
また、フレームトラップユニット８０における多孔板部は、本実施形態のように金属板に複数の通気孔８０ａを形成したものに限ったものではなく、例えば図５に示すように金網を用いてもよく、また図６に示すようにラス網を用いてもよい。また、図７に示すように１本の長尺な金属箔からなる基材テープの片面に、同じく１本の長尺な金属箔からなる波形テープを接合したものを、渦巻き状或いは螺旋状にして形成したものであってもよい。また、多孔板部は波型やクランク型に加工したものであってもよい。また、多孔板部は金属製に限ったものではなく、セラミックス製であってもよい。
【００２４】
以上本発明の実施形態について説明したが、本発明はこうした実施形態に何等限定されるものではなく、本発明の要旨を逸脱しない範囲において、種々なる態様で実施し得ることは勿論である。
【図面の簡単な説明】
【００２５】
【図１】本発明の一実施形態に係るグリルの概略構成図である。
【図２】フレームトラップの斜視図である。
【図３】フレームトラップの断面図である。
【図４】発火時における説明図である。
【図５】別例としての多孔板部の斜視図である。
【図６】別例としての多孔板部の斜視図である。
【図７】別例としての多孔板部の斜視図である。
【図８】従来例としてのグリルの概略構成図である。
【図９】発火時における説明図である。
【符号の説明】
【００２６】
１０…加熱庫、２０…焼網、３０…受皿、４０…バーナ、５０…排気口、６０…排気通路、７０…連通口、８０…フレームトラップユニット、８１…上多孔板部、８２…下多孔板部、８０ａ…通気孔。
【図１】
2008289914.tif 000003
【図２】
2008289914.tif 000004
【図３】
2008289914.tif 000005
【図４】
2008289914.tif 000006
【図５】
2008289914.tif 000007
【図６】
2008289914.tif 000008
【図７】
2008289914.tif 000009
【図８】
2008289914.tif 000010
【図９】
2008289914.tif 000011